【事件の表示】
　平成１０年特許願第２９３７２３号「ＨＥＭＴ−ＨＢＴカスコ−ド分布増幅器」拒絶査定に対する審判事件［平成１１年　７月２１日出願公開、特開平１１−１９５９３９］について、次のとおり審決する。
【結　論】
　本件審判の請求は、成り立たない。
【理　由】
（１）手続の経緯、本願発明
　本願は、平成１０年１０月１５日（パリ条約による優先権主張１９９７年１０月２１日、アメリカ合衆国）の出願であって、その請求項１に係る発明は、平成１２年１月１２日付け手続補正書により補正された明細書及び図面の記載からみて、その特許請求の範囲の請求項１に記載された次の事項により特定されるとおりのものと認める（以下「本願発明」という）。
「【請求項１】　複数の増幅器段階を備え、各増幅器段階は、ゲート、ドレイン、ソースの各端子を有する所定の電界効果トランジスター（ＦＥＴ）と、ベース、コレクター、エミッタの各端子を有するヘテロ接合バイポーラトランジスター（ＨＢＴ）とを含み、前記増幅器段階は、前記ＨＢＴのエミッタ端子が前記ドレイン端子に接続されるとともに前記ソース端子が接地されるように構成され、前記ベース端子は、共に接続されて接地され、　複数の所定のインピーダンスを備え、前記インピーダンスは、増幅器段階間に接続されて、入力伝送ラインと出力伝送ラインを疑似するよう選択され、前記インピーダンスは、前記ＨＢＴの前記コレクタ端子と前記ＦＥＴの前記ゲート端子とに接続され、
　前記ＨＢＴの所定の端子と電気的に接続された出力端子を備える、
ことを特徴とする分布増幅器。」
　
（２）引用例
　これに対して、原査定の拒絶の理由に引用された、本願の優先権主張の日前である平成３年６月１１日に頒布された特開平３−１３６５０９号公報（以下「刊行物１」という）には以下の記載がある。
（Ａ）「本発明は、ＧＨｚ帯の高周波信号を増幅するカスコード型分布増幅器に関する。」（第２頁左上欄第１３〜１４行）、
（Ｂ）「第３図に示す従来提案されているカスコード型分布増幅器は、第１図で上述した原理的な分布増幅器において、順次直列に接続されている複数ｎ個の伝送線路ＬＣ１、ＬＣ２………ＬＣｎ」を有し、・・・第２図で上述した原理的な分布増幅器と同様の構成を有する。」（第２頁左下欄第１３行〜第３頁左上欄第５行）、
（Ｃ）「また、第３図に示す従来のカスコード型分布増幅器によれば、・・・第２図で上述した従来の分布増幅器の場合に比しより良好な広帯域特性を有する。」（第３頁右上欄第１６行〜右下欄第５行）、
（Ｄ）「本発明によるカスコード型分布増幅器によれば、・・・同様のカスコード型分布増幅器としての機能が得られる。」（第４頁左下欄第１５行〜右下欄第６行）、
（Ｅ）「次に、第１図を伴って、本発明によるカスコード型分布増幅器の実施例を述べよう。・・・容易に、有せしめることができる。」（第５頁左上欄第６行〜左下欄第６行）。
 これら（Ａ）〜（Ｅ）の記載から、刊行物１には、
　「複数のカスコード接続増幅器を備え、各カスコード接続増幅器はゲート、ドレイン、ソースの各端子を有する所定の一方及び他方の電界効果トランジスタを含み、前記カスコード接続増幅器は、一方の電界効果トランジスタのソース端子が他方の電界効果トランジスタのドレイン端子に接続されるとともに前記他方の電界効果トランジスタのソース端子が接地されるように構成され、前記一方の電界効果トランジスタのゲート端子は、共に接続されて接地され、
　複数の所定の伝送線路を備え、前記伝送線路は、カスコード接続増幅器間に接続されて、前記伝送線路は、前記一方の電界効果トランジスタの前記ドレイン端子と前記他方の電界効果トランジスタの前記ゲート端子とに接続され、
　前記一方の電界効果トランジスタの所定の端子と電気的に接続された出力端子を備える、
ことを特徴とする分布増幅器。」という発明（以下「刊行物１記載の発明」という）が記載されているものと認められる。
　また、原査定の拒絶の理由に引用された、本願の優先権主張の日前である平成９年９月１９日に頒布された特開平９−２４６８７７号公報（以下「刊行物２」という）には以下の記載がある。
（Ｆ）「【発明の属する技術分野】本発明は、モノリシックマイクロ波集積回路（ＭＭＩＣ）に係り、・・・全性能能力を発揮するようなＭＭＩＣに係る。」（第３頁右欄第４１〜５０行）、
（Ｇ）「【従来の技術】低ノイズ・高直線性の性能を要求する・・・複雑さ及び消費電力が増加する。」（第４頁左欄第２〜１９行）、
（Ｈ）「図２に示した４端子のＨＥＭＴ−ＨＢＴトポロジー４８は、・・・但し、β（ｓ）≒β０ ／（１＋ｓ／ωＴ）である。」（第８頁左欄第１９行〜右欄第２３行）、
（Ｉ）図７（第１１頁）。
　これら（Ｆ）〜（Ｉ）の記載、及び高電子移動度トランジスタ（ＨＥＭＴ）は電界効果トランジスタであることを勘案すると、刊行物２には、
　「ゲート、ドレイン、ソースの各端子を有する所定の電界効果トランジスタと、ベース、コレクター、エミッタの各端子を有するヘテロ接合バイポーラトランジスタとを含んだカスコード接続増幅器において、該カスコード接続増幅器は、前記ヘテロ接合バイポーラトランジスタのエミッタ端子が前記ドレイン端子に接続されるとともに前記ソース端子が接地されゲート端子は入力端子とされ、前記ベース端子は接地されるとともに前記コレクター端子は出力端子としたカスコード接続増幅器。」という発明（以下「刊行物２記載の発明」という）が記載されているものと認められる。
　
（３）対比判断
　本願発明と刊行物１記載の発明を比較すると、刊行物１記載の発明における「カスコード接続増幅器」「他方の電界効果トランジスタ」「第１の伝送回路」「第２の伝送回路」は、それぞれ本願発明の「増幅器段階」「電界効果トランジスタ」「入力伝送ライン」「出力伝送ライン」に相当する。
　したがって、両者は「複数の増幅器段階を備え、各増幅器段階は、ゲート、ドレイン、ソースの各端子を有する所定の電界効果トランジスタ（ＦＥＴ）を含み、前記増幅器段階は、前記ソース端子が接地されるように構成され、
　たことを特徴とする分布増幅器。」である点において一致するが、以下の点で相違する。
（ａ）増幅器段階を構成する２つのトランジスタの一方が、本願発明においては「ベース、コレクター、エミッタの各端子を有するヘテロ接合バイポーラトランジスタ（ＨＢＴ）」であるのに対し、刊行物１記載の発明では「ゲート、ドレイン、ソースの各端子を有する電界効果トランジスタ」である点。
（ｂ）増幅器段階を構成する２つのトランジスタの接続構成が、本願発明においては「ヘテロ接合バイポーラトランジスタ（ＨＢＴ）のエミッタ端子が電界効果トランジスタ（ＦＥＴ）のドレイン端子に接続され、ベース端子は共に接続されて接地され、インピーダンスはコレクタ端子に接続され」ているのに対し、刊行物１記載の発明では「一方の電界効果トランジスタ（ＦＥＴ）のソース端子が他方の電界効果トランジスタのドレイン端子に接続され、一方の電界効果トランジスタ（ＦＥＴ）のゲート端子は共に接続されて接地され、インピーダンスは一方の電界効果トランジスタ（ＦＥＴ）のドレイン端子に接続され」ている点。
（ｃ）本願発明においては「複数の所定のインピーダンスを備え、前記インピーダンスは、増幅器段階間に接続されて、入力伝送ラインと出力伝送ラインを疑似するよう選択され、前記インピーダンスは、前記ＨＢＴの前記コレクタ端子と前記ＦＥＴの前記ゲート端子とに接続され」ているのに対し、刊行物１記載の発明では、「複数の所定の伝送線路を備え、前記伝送線路は、カスコード接続増幅器間に接続されて、前記伝送線路は、前記一方の電界効果トランジスタの前記ドレイン端子と前記他方の電界効果トランジスタの前記ゲート端子とに接続され」ている点。
　次に各相違点について検討する。
　相違点（ａ）、（ｂ）について。
　刊行物２記載の発明には、カスコード接続増幅器を構成する２つのトランジスタとして、電界効果トランジスタとヘテロ接合バイポーラトランジスタを用いた技術が記載されており、刊行物２記載の発明における「カスコード接続増幅器」は本願発明の「増幅器段階」に相当し、当該カスコード接続増幅器が刊行物１記載の発明と同一の技術分野であるマイクロ波回路に用いられるものであることから、刊行物１記載の発明における増幅器段階の構成として、その一方の電界効果トランジスタに代えて、刊行物２記載の発明に記載されたヘテロ接合バイポーラトランジスタを採用することは当業者が容易に成し得たことと認められる。
　相違点（ｃ）について。
　刊行物１記載の発明においては、前記伝送線路の具体的な構成は記載されていないが、刊行物１に示されたような分布増幅器において、その入力伝送ライン、出力伝送ラインは所定のインピーダンス成分を持ち、その値は入力伝送ライン、出力伝送ラインの特性に応じて適切な値が選ばれることは当業者に周知な事項にすぎないから、刊行物１記載の発明において、その伝送線路をインピーダンスとして、「複数の所定のインピーダンスを備え、前記インピーダンスは、増幅器段階間に接続されて、入力伝送ラインと出力伝送ラインを疑似するよう選択され、前記インピーダンスは、前記ＨＢＴの前記コレクタ端子と前記ＦＥＴの前記ゲート端子とに接続され」た構成とすることに格別進歩性は認められない。
　
（４）むすび
  したがって、本願発明は、刊行物１記載の発明及び刊行物２記載の発明に基づいて当業者が容易に発明をすることができたものであるので、特許法第２９条第２項の規定により特許を受けることができない。
　よって、結論のとおり審決する。